(57)【特許請求の範囲】
【請求項１】
現像装置にトナーを供給するトナーカートリッジであって、
回動前の状態においてトナー供給口を開放し、所定角度回動されることによって前記トナー供給口を閉塞するコンテナシャッターと、
前記トナー供給口が底面に形成され、第１及び第２の支持部で前記コンテナシャッターの長手方向の両端を回動可能に支持するコンテナシャッター収容部とを備え、
前記コンテナシャッターは、前記第１の支持部によって支持される円盤状の第１の端部と、前記第２の支持部によって支持される円盤状の第２の端部と、前記コンテナシャッターの長手方向の外側に向けて、前記第１の端部の周面と連なるように突出形成された第１のリブとを備え、
前記１のリブは、前記コンテナシャッターの回動方向に対して鋭角に傾斜する斜辺を備え、
前記第１の支持部は、前記第１のリブが収容されるリブ収容部と、前記リブ収容部に収容された第１のリブに対して、前記回動方向と対向するように配設された当接面とを備え、
前記第２の支持部は、周面と連なるように前記長手方向の内側に向けて突出形成された第２のリブを備え、
前記第１のリブの長手方向側の端面と前記第２の端部との距離は、前記第１の支持部と前記第２の支持部との距離より短く設定され、
前記第１の端部と前記第２の端部との距離は、前記第１の支持部と前記第２のリブの端面との距離より短く設定され、
前記斜辺は、前記コンテナシャッターが回動するにつれて、前記当接面と当接することにより、前記第１のリブの端面を前記第１の支持部の側壁に案内することを特徴とすることを特徴とするトナーカートリッジ。
【請求項２】
前記第１のリブの長手方向側の端面と前記第２の端部との距離は、前記第１の支持部と前記第２の支持部との距離を超えない値であって、ほぼ同じ値に設定されていることを特徴とする請求項１記載のトナーカートリッジ。
【請求項３】
前記リブ収容部は、前記第１のリブが載置されるリブ載置部を備えることを特徴とする請求項１又は２記載のトナーカートリッジ。
【請求項４】
請求項１〜３のいずれかに記載のトナーカートリッジと、
前記トナーカートリッジを装着した現像装置とを備えることを特徴とする画像形成装置。
【発明の詳細な説明】
【技術分野】
【０００１】
本発明は、複写機、ファクシミリ、及びデジタル複合機等の画像形成装置、及び画像形成装置が備える現像装置にトナーを供給するトナーカートリッジに関するものである。
【背景技術】
【０００２】
図９は従来のトナーカートリッジの製造工程において、トナーカートリッジにコンテナシャッターを取り付ける工程を説明するためのトナーカートリッジの内部斜視図である。図１０は、コンテナシャッターが取り付けられたトナーカートリッジを示した図であり、（ａ）は全体斜視図を示し、（ｂ）はコンテナシャッターの左側の端部付近の拡大図を示し、（ｃ）はコンテナシャッターの右側の端部付近の拡大図を示している。
【０００３】
図９に示すように、トナーカートリッジは、箱状の筐体１１Ａを備えている。筐体１１Ａは、コンテナシャッター１６Ａが取り付けられるコンテナシャッター収容部１２Ａを備える。コンテナシャッター収容部１２Ａは、底面が半円筒状であり、中央部にはトナー供給口１３Ａが形成されている。トナー供給口１３Ａは、コンテナシャッター１６Ａの長手方向を長手方向とし、トナーを現像装置に供給するために形成された孔である。コンテナシャッター収容部１２Ａの右側の側壁１５Ａには、コンテナシャッター１６Ａの上下動作を規制するリブ１５１Ａが形成されている。
【０００４】
コンテナシャッター１６Ａの長手方向の端部１６１Ａ，１６２Ａは、側壁１４Ａ，１５Ａによって長手方向を軸心として回動可能に軸支されている。コンテナシャッター１６Ａのトナー供給口１３Ａと対向する部分は半円筒状になっている。そして、コンテナシャッター１６Ａは、この半円筒状の部分に形成された連通孔をトナー供給口１３Ａに連通させることで、トナー供給口１３Ａを開口し、連通させないことでトナー供給口１３Ａを閉塞する。
【０００５】
なお、端部１６１Ａには、図１０（ｂ）に示すように側壁側にシール部材１７Ａが貼り付けられ、端部１６１Ａはこのシール部材１７Ａを介して側壁１４Ａにこじ入れられる。なお、シール部材１７Ａは、側壁１６１Ａに外部と貫通するように形成された孔１４１Ａ（図９参照）から筐体１１Ａ内部に収容するトナーが漏れることを防止すると共に、コンテナシャッター１６Ａの長手方向へのがたつきを防止する。
【０００６】
ここで、コンテナシャッター１６Ａの両端の距離ａは、側壁１４Ａ，１５Ａ間の距離ｂとほぼ同じ長さに設定されている。そのため、コンテナシャッター収容部１２Ａにコンテナシャッター１６Ａの取り付けるためには、図９に示すように、まず、端部１６２Ａをリブ１５１Ａに下部に潜り込ませる。次に、端部１６１Ａ側を下方向（図９に示す矢印方向）に倒していき、端部１６１Ａを側壁１４Ａにこじ入れる。すると、図１０（ａ）に示すように、コンテナシャッター１６Ａは、側壁１４Ａ，１５Ａ間に嵌め込まれる。
【０００７】
なお、本発明に関連する技術として、例えば特許文献１が知られている。
【特許文献１】特許第３２１０５２９号公報
【発明の開示】
【発明が解決しようとする課題】
【０００８】
しかしながら、従来のトナーカートリッジでは、コンテナシャッター１６Ａを側壁１４Ａにこじ入れていたため、シール部材１７Ａが、側壁１４Ａと擦れて破損したり、端部１６１Ａからめくれたりしてしまい、トナー漏れ等が発生するという問題があった。
【０００９】
また、リブ１５１Ａの下側にコンテナシャッター１６Ａを斜め方向から潜り込ませ、かつ、シール部材１７Ａが破損しないように側壁１４Ａ，１５Ａ間に嵌め込むためには、一定のコツが要求されるため、作業者への負担が大きいという問題があった。
【００１０】
本発明の目的は、トナー漏れが防止され、かつ、簡便な作業によりコンテナシャッターをコンテナシャッター収容部に取り付けることができるトナーカートリッジ及びそのトナーカートリッジを備える画像形成装置を提供することである。
【課題を解決するための手段】
【００１１】
本発明によるトナーカートリッジは、現像装置にトナーを供給するトナーカートリッジであって、回動前の状態においてトナー供給口を開放し、所定角度回動されることによって前記トナー供給口を閉塞するコンテナシャッターと、前記トナー供給口が底面に形成され、第１及び第２の支持部で前記コンテナシャッターの長手方向の両端を回動可能に支持するコンテナシャッター収容部とを備え、前記コンテナシャッターは、前記第１の支持部によって支持される円盤状の第１の端部と、前記第２の支持部によって支持される円盤状の第２の端部と、前記コンテナシャッターの長手方向の外側に向けて、前記第１の端部の周面と連なるように突出形成された第１のリブとを備え、前記１のリブは、前記コンテナシャッターの回動方向に対して鋭角に傾斜する斜辺を備え、前記第１の支持部は、前記第１のリブが収容されるリブ収容部と、前記リブ収容部に収容された第１のリブに対して、前記回動方向と対向するように配設された当接面とを備え、前記第２の支持部は、周面と連なるように前記長手方向の内側に向けて突出形成された第２のリブを備え、前記第１のリブの長手方向側の端面と前記第２の端部との距離は、前記第１の支持部と前記第２の支持部との距離より短く設定され、前記第１の端部と前記第２の端部との距離は、前記第１の支持部と前記第２のリブの端面との距離より短く設定され、前記斜辺は、前記コンテナシャッターが回動するにつれて、前記当接面と当接することにより、前記第１のリブの端面を前記第１の支持部の側壁に案内することを特徴とすることを特徴とする。
【００１２】
この構成によれば、コンテナシャッターを構成する第１の端部と第２の端部との距離は、第１の端部と第２の支持部に形成された第２のリブの端面との距離より短く設定されている。そのため、ユーザは、従来のトナーカートリッジのように、第２のリブの下側に第２の端部を潜り込ませてコンテナシャッターを斜めに傾斜させた後、第１の端部を第１の支持部にこじ入れるというような一定のコツが要求される作業を行わなくとも、第１のリブをリブ収容部に収容させるように、コンテナシャッターをコンテナシャッター収容部に収容することで、コンテナシャッターを、傾斜させることなく水平姿勢を保つようにして、コンテナシャッター収容部に収容させることができる。
【００１３】
そして、コンテナシャッターが回動されると、第１のリブの斜辺は、第１の支持部の当接面と当接することにより、第１のリブの端面を第１の支持部の側壁に案内する。ここで、第１のリブの端面と第２の端部との距離は、第１の支持部と第２の支持部との距離より短いため、コンテナシャッターは、第１のリブの長手方向の長さだけ、長手方向にスライドされて、第１の支持部と第２の支持部との間に収納され、トナー供給口を閉塞状態にするため、トナー漏れを防止することができる。
【００１４】
また、上記構成において、前記第１のリブの長手方向側の端面と前記第２の端部との距離は、前記第１の支持部と前記第２の支持部との距離を超えない値であって、ほぼ同じ値に設定されていることが好ましい。
【００１５】
この構成によれば、前記第１のリブの長手方向側の端面と前記第２の端部との距離は、前記第１の支持部と前記第２の支持部との距離を超えない値であって、ほぼ同じ値に設定されているため、閉塞時において第１及び第２の支持部はコンテナシャッターをがたつかないように支持することができ、トナー漏れを防止することができる。
【００１６】
また、前記リブ収容部は、前記第１のリブが載置されるリブ載置部を備えることが好ましい。
【００１７】
この構成によれば、リブ載置部に第１のリブが載置されるようにコンテナシャッターをコンテナシャッター収容部に収容することが可能となり、コンテナシャッターの取り付け作業をより簡素化することができ、作業者の負担をより軽減することができる。
【００１８】
また、本発明による画像形成装置は、請求項１〜３のいずれかに記載のトナーカートリッジと、前記トナーカートリッジを装着した現像装置とを備えることを特徴とする。
【００１９】
この構成によれば、請求項１〜３のいずれかに記載のトナーカートリッジを備えているため、コンテナシャッターの取り付け作業の簡素化を図りつつ、トナー漏れを防止することができる画像形成装置を提供することができる。
【発明の効果】
【００２０】
本発明によれば、トナー漏れが防止され、かつ、簡便な作業によりコンテナシャッターをトナーカートリッジに取り付けることができる。
【発明を実施するための最良の形態】
【００２１】
図１は、本発明の実施の形態による画像形成装置の全体概略図である。画像形成装置１は、ネットワークプリンタプリンタ、ファクシミリ、並びにコピー機能、プリンタ機能、スキャナ機能及びファクシミリ機能等の各種機能を兼ね備えたデジタル複合機等から構成される。
【００２２】
画像形成装置１は、装置本体２の下部に配設された給紙部１００と、この給紙部１００の上方に配設された用紙搬送部２００と、給紙部１００の上方に配設された画像形成部３００と、この画像形成部３００の上方に配設された定着部４００と、これら画像形成部３００及び定着部４００の上方に配設された画像読取部５００とを備えている。
【００２３】
給紙部１００は、給紙カセット１０１に積層載置された用紙の束を、給紙ローラ１１５の回転動作によって最上位の用紙から１枚ずつ用紙搬送部２００に給紙する。用紙搬送部２００は、給紙部１００から給紙された用紙を、各種ローラ対２０２によって画像形成部３００に搬送する。更に、給紙部１００は、画像形成部３００及び定着部４００において画像形成がなされた用紙を、排出ローラ２０５によって装置本体２の側部に設けられた用紙排出トレイ２０４に排出する。
【００２４】
画像読取部５００は、コンタクトガラス上に載置された原稿に、露光ランプから光を照射し、反射鏡を介してその反射光をＣＣＤラインセンサ等からなる光電変換部に導くことにより、原稿の画像情報を読み取る。画像形成部３００は、上記画像読取部５００の下方に配設され、電子写真プロセスによって、用紙上に所定のトナー像を形成する。そして、画像形成部３００は、回動可能に軸支された光導電性を有する感光体ドラム３０１を備えている。感光体ドラム３０１の周囲には、その回転方向に沿って、帯電装置３０２、露光装置３０３、現像装置１０、転写装置３０５、クリーニング装置３０６及び除電装置（図示せず）が配設されている。
【００２５】
定着部４００は、上記画像形成部３００の用紙搬送方向の下流側に配置され、画像形成部３００においてトナー像が転写された用紙を、一対の定着ローラ４０１によって挟んで加熱し、用紙上のトナー像を定着させる。
【００２６】
画像形成装置１の基本的な作動状態を簡単に説明すると、帯電装置３０２により図１で時計方向に回転する感光体ドラム３０１が一様に帯電され、上記画像読取部５００で読み取られた画像情報に基づいて露光装置３０３（レーザー走査装置等）からの画像露光により感光体ドラム３０１上に静電潜像が形成され、現像装置１０により静電潜像に磁性体からなるトナーが付着されてトナー像が形成される。
【００２７】
上記のようにトナー像が形成された感光体ドラム３０１に向けて、給紙部１００から用紙搬送部２００を通って用紙が画像形成部３００に搬送され、この画像形成部３００において転写ローラ等からなる転写装置３０５により感光体ドラム３０１の表面におけるトナー像が用紙に転写される。そして、トナー像が転写された用紙は感光体ドラム３０１から分離され、定着部４００に搬送されてトナー像が定着される。定着部４００を通過した用紙は、排出ローラ２０５を経て用紙排出トレイ２０４に排出される。そして、転写装置３０５による転写後に感光体ドラム３０１はクリーニング装置３０６及び除電装置で残留トナー、残留電荷を除去して、必要に応じて再び帯電装置３０２で帯電される。
【００２８】
図２は、現像装置１０に装着されるトナーカートリッジ２０の外観構成図を示しており、（ａ）は上側からの斜視図を示し、（ｂ）は上面図を示し、（ｃ）はＡ−Ａ方向からの断面図を示している。なお、図２の（ａ）〜（ｃ）に示すｘ方向、ｙ方向、ｚ方向は各々、トナーカートリッジ２０の長手方向、前方、高さ方向を表す。また、−ｙ方向、−ｚ方向は、各々、トナーカートリッジ２０の後方、下方を表す。これら、ｘ方向、ｙ方向、ｚ方向は、他の図でも同一の意味を有している。
【００２９】
図２（ａ）に示すようにトナーカートリッジ２０は、大局的には立方体形状を有し、上蓋２１とトナー収容部２２とを備えている。トナー収容部２２は、上面が開口した箱体であり、内部にトナーを収容する。上蓋２１は、トナー収容部２２の上面に取り付けられ、トナー収容部２２を密封する。トナー収容部２２の長手方向の中央部には、コンテナシャッター（図３参照）２７を収容するコンテナシャッター収容部２６が前方に突出するように形成されている。また、トナー収容部２２の両側壁には、トナーカートリッジ２０を現像装置１０に装着する際に、トナーカートリッジ２０を現像装置１０に案内するためのガイド部材２５が配設されている。更に、トナー収容部２２の−ｘ方向側の側壁のほぼ中央部には、トナー収容部２２の内部に配設された攪拌パドルを駆動するための攪拌駆動ギア３１が配設されている。更に、トナー収容部２２の−ｘ方向側の側壁には攪拌駆動ギア３１を駆動するためのアイドルギア２４が配設されている。
【００３０】
図３はコンテナシャッター２７の外観構成図を示している。図４はトナー収容部２２の内部の斜視図を示している。コンテナシャッター２７は大局的には円筒状の部材から構成され、図４に示すコンテナシャッター収容部２６の底面に形成されたトナー供給口２８を開放又は閉塞する。
【００３１】
図３に示すコンテナシャッター２７は、トナー供給スクリュー２７１、端部２７２（第１の端部），２７３（第２の端部）、フランジ２７４、及びパドル部２７５を備えている。トナー供給スクリュー２７１は、ｘ方向を長手方向とする円筒状の部材であり、長手方向の約３／４の領域は、開口されており、この領域においてトナー供給スクリュー２７１には半円筒部２７６が形成されている。なお、トナー供給スクリュー２７１に代えてスポンジローラを採用してもよい。
【００３２】
トナー供給スクリュー２７１の右側には、トナー供給スクリュー２７１よりもやや直径が大きな円盤状の端部２７３が形成されている。また、トナー供給スクリュー２７１の左側には、パドル部２７５を介してフランジ２７４が配設されている。パドル部２７５は、長方形の２枚の平板が長手方向に平行な中心線で交差した形状を有している。フランジ２７４の鍔部分が端部２７２となっている。端部２７２の直径は、端部２７３の直径とほぼ同じ大きさである。また、端部２７２には、リブ２７８が形成されている。リブ２７８は、端部２７２の周面と連なるように−ｘ方向に突出し、回動方向を示すＡ２方向側の一辺がＡ２方向に対して鋭角に傾斜した斜辺２７８ａとなっている。
【００３３】
図４に示すコンテナシャッター収容部２６の底面は、コンテナシャッター２７の端部２７２，２７３とほぼ同じ曲率の曲面となっており、中央部には、ｘ方向を長手方向とするトナー供給口２８が形成されている。このトナー供給口２８は、トナー収容部２２が収容するトナーを現像装置に供給するための孔である。コンテナシャッター収容部２６の左右には、コンテナシャッター２７の端部２７２，２７３を回動可能に支持する支持部２２１（第１の支持部）、支持部２２２（第２の支持部）が形成されている。
【００３４】
支持部２２２は、コンテナシャッター２７の端部２７３とほぼ同一半径の円盤状の部材から構成され、上側の一部には−ｘ方向に向けて突出し、コンテナシャッター２７を上方向から押さえるリブ２２３（第２のリブ）が形成されている。
【００３５】
支持部２２１は、Ａ２方向と対向し、リブ２７８の斜辺２７８ａと当接する当接面２２４、リブ２７８が載置されるリブ載置部２２５、及びリブ２７８の回動を規制する規制部２２６より構成されている。
【００３６】
ここで、図３に示すリブ２７８の端面２７８ｂと端部２７３との距離ｄは、図４に示す支持部２２１と支持部２２２との距離ａを超えない値であって、ほぼ同じ値に設定されている（ａ＝ｄ）。また、図３に示す端部２７２の端面２７２ａと端部２７３との距離ｃは、図４に示す距離ｂよりも短い（ｃ＜ｂ）。
【００３７】
すなわち、距離ｃが、距離ｂよりも短いため、コンテナシャッター２７は、図１０に示すように斜め方向からこじ入れなくとも、長手方向をｘ方向と平行にし、かつ−ｚ方向にスライドさせて、水平姿勢を維持させた状態でコンテナシャッター２７をコンテナシャッター収容部２６に収容させることができる。
【００３８】
図５（ａ）は、コンテナシャッター２７をコンテナシャッター収容部２６に収容したときのトナーカートリッジ２０の斜視図を示し、（ｂ）はトナーカートリッジ２０の下側からの斜視図を示している。
【００３９】
図５（ａ）に示すように、リブ載置部２２５は、端部２７２とほぼ同一の曲率を有する曲面により構成されている。そのため、コンテナシャッター２７は、リブ２７８がリブ載置部２２５の上面に載置されるようにしてコンテナシャッター収容部２６に収容されていることが分かる。また、リブ２７８は、規制部２２６によってＡ１方向の回動が規制されると共に、当接面２２４によってＡ２方向の回動が規制される。従って、コンテナシャッター２７はＡ１〜Ａ２方向に対して一定の遊びを有することになるが、この遊びは、図７に示す連通孔２７６ａとトナー供給口２８との連通状態を維持する範囲に設定されている。
【００４０】
図５（ｂ）に示すようにコンテナシャッター収容部２６の側壁には、シャッター開閉ギア３０が取り付けられている。図２（ｃ）に示すように、端部２７２の中央部の穴にコンテナシャッター収容部２６の側壁からピン３３がはめ込まれ、シャッター開閉ギア３０はこのピン３３と一体形成されている。その結果、シャッター開閉ギア３０が回動されるとコンテナシャッター２７が回動されるようになる。なお、ピン３３には、トナー漏れを防止するためのＯリング３２が取り付けられている。
【００４１】
ここで、図５（ａ）に示すように、リブ２７８の全域がリブ載置部２２５に載置されているときは、半円筒部２７６に形成された連通孔２７６ａ（図７参照）とトナー供給口２８とが連通し、トナー供給口２８が開放される。攪拌パドル２９は、攪拌駆動ギア３１によって駆動され、トナー収容部２２に収容されたトナーを攪拌する。
【００４２】
図６は、コンテナシャッター２７が回動される様子を示した図であり、（ａ）はコンテナシャッター２７が回動角度が０度の状態を示し、（ｂ）は（ａ）の状態における端部２７２の拡大図を示し、（ｃ）はコンテナシャッター２７の回動角度が９０度の状態を示す図であり、（ｄ）は、（ｃ）の状態における端部２７２の拡大図を示している。
【００４３】
図６（ｂ）に示すように、コンテナシャッター２７が回動される前は、リブ２７８の全域がリブ載置部２２５の上面に載置されており、連通孔２７６ａ（図７参照）とトナー供給口２８とが連通して、トナー供給口２８は開放されている。そして、トナーカートリッジ２０が現像装置１０から取り外されると、シャッター開閉ギア３０が回動して、コンテナシャッター２７がＡ２方向に回動される。なお、トナーカートリッジ２０を現像装置１０から取り外したときのコンテナシャッター２７が回動される原理については、特許文献１に開示されているため説明を省略する。このとき、図６（ａ）に示すように、リブ２７８は、コンテナシャッター２７が回動するにつれて、斜辺２７８ａは、当接面２２４と当接する結果、リブ２７８を支持部２２１の側壁２２４ａに案内する。そして、コンテナシャッター２７の回動角度が９０度にされると、リブ２７８の端面２７８ｂが側壁２２４ａに当接した状態となり、コンテナシャッター２７はトナー供給口２８を閉塞する。このとき、コンテナシャッター２７は、リブ２７８の長手方向の長さ分、Ａ３方向にスライドする。
【００４４】
ここで、図３に示す距離ｄは、図４に示す距離ａとほぼ同じ長さであるため、コンテナシャッター２７は、トナー供給口２８を閉塞した状態を維持するように支持部２２１，２２２によって支持される。その結果、コンテナシャッター２７は、がたつくことなく、トナー供給口２８を閉塞することができる。
【００４５】
図７は、トナーカートリッジ２０の断面図を示し、（ａ）はトナー供給口２８が開放されている状態を示し、（ｂ）はトナー供給口２８が閉塞されている状態を示している。なお、図７において、上蓋２１は取り外されている。（ａ）に示すように、コンテナシャッター２７の半円筒部２７６には、連通孔２７６ａが形成されている。この連通孔２７６ａは、トナー供給口２８と対向する位置に形成されている。従って、回動角度が０度の場合、連通孔２７６ａとトナー供給口２８とが連通する結果、現像装置１０にトナーが供給される。
【００４６】
一方、コンテナシャッター２７が９０度回動されると、（ｂ）に示すように、連通孔２７６ａとトナー供給口２８とが連通しないため、トナー供給口２８は閉塞される。この場合、コンテナシャッター２７は、コンテナシャッター収容部２６の支持部２２１，２２２によって支持されるため、がたつかず、トナー漏れを防止することができる。
【００４７】
図８は、コンテナシャッターの回動動作を簡略化して示した図であり、（ａ）は回動角度が０度の状態を示し、（ｂ）は回動角度が９０度の状態を示している。なお、図８においてコンテナシャッター２７は円筒状に簡略化して示されている。図８（ａ）に示すように、距離ｃは距離ｂよりも短いため、コンテナシャッター２７を支持部２２１と支持部２２２との間に水平姿勢を維持しつつ収容することができる。従って、（ａ）の状態において、コンテナシャッター２７と支持部２２２との間には、クリアランスｘが生じている。
【００４８】
そして、コンテナシャッター２７をＡ２方向に回動させると、斜辺２７８ａは、当接面２２４と当接し、リブ２７８を支持部２２１の側壁２２４ａへと案内する。ここで、距離ｄは距離ａより短い値であって、ほぼ同じ長さであるため、（ｂ）の状態において、コンテナシャッター２７は、支持部２２１，２２２によってがたつくことなく支持されることになる。そのため、トナー供給口２８の閉塞時においてトナー漏れを防止することができる。
【００４９】
以上説明したように、本画像形成装置によれば、コンテナシャッター２７をコンテナシャッター収容部２６に取り付ける際の作業の簡便化を図りつつ、トナー漏れを防止することができる。
【図面の簡単な説明】
【００５０】
【図１】本発明の実施の形態による画像形成装置の全体概略図である。
【図２】現像装置に装着されるトナーカートリッジの外観構成図を示しており、（ａ）は上側からの斜視図を示し、（ｂ）は上面図を示し、（ｃ）はＡ−Ａ方向からの断面図を示している。
【図３】コンテナシャッターの外観構成図を示している。
【図４】トナー収容部の内部の斜視図を示している。
【図５】（ａ）は、コンテナシャッター２７をコンテナシャッター収容部２６に収容したときのトナーカートリッジ２０の斜視図を示し、（ｂ）はトナーカートリッジ２０を下側からの斜視図を示している。
【図６】コンテナシャッターが回動される様子を示した図であり、（ａ）はコンテナシャッターが回動角度が０度の状態を示し、（ｂ）は（ａ）の状態における端部の拡大図を示し、（ｃ）はコンテナシャッターの回動角度が９０度の状態を示す図であり、（ｄ）は、（ｃ）の状態における端部の拡大図を示している。
【図７】トナーカートリッジの断面図を示し、（ａ）はトナー供給口が開放されている状態を示し、（ｂ）はトナー供給口が閉塞されている状態を示している。
【図８】コンテナシャッターの回動動作を簡略化して示した図であり、（ａ）は回動角度が０度の状態を示し、（ｂ）は回動角度が９０度の状態を示している。
【図９】従来のトナーカートリッジの製造工程において、トナーカートリッジにコンテナシャッターを取り付ける工程を説明するためのトナーカートリッジの内部斜視図である。
【図１０】コンテナシャッターが取り付けられたトナーカートリッジを示した図であり、（ａ）は全体斜視図を示し、（ｂ）はコンテナシャッターの左側の端部付近の拡大図を示し、（ｃ）はコンテナシャッターの右側の端部付近の拡大図を示している。
【符号の説明】
【００５１】
２０  トナーカートリッジ
２１  上蓋
２２  トナー収容部
２４  アイドルギア
２５  ガイド部材
２６  コンテナシャッター収容部
２７  コンテナシャッター
２８  トナー供給口
２９  攪拌パドル
３０  シャッター開閉ギア
３１  攪拌駆動ギア
３３  ピン
３２  Ｏリング
２２１，２２２  支持部
２２３  リブ
２２４ａ  側壁
２２４  当接面
２２５  リブ載置部
２２６  規制部
２７１  トナー供給スクリュー
２７２，２７３  端部
２７２ａ  端面
２７４  フランジ
２７５  パドル部
２７６  半円筒部
２７６ａ  連通孔
２７８  リブ
２７８ａ  斜辺
２７８ｂ  端面
【図１】
0004494343.tif 000002
【図２】
0004494343.tif 000003
【図３】
0004494343.tif 000004
【図４】
0004494343.tif 000005
【図５】
0004494343.tif 000006
【図６】
0004494343.tif 000007
【図７】
0004494343.tif 000008
【図８】
0004494343.tif 000009
【図９】
0004494343.tif 000010
【図１０】
0004494343.tif 000011